(57)【要約】【課題】天井大梁と床大梁との間に形成されたスペースを有効に活用することができる建物の外壁構造を得る。【解決手段】連結部材６４は、建物上下方向に対して直交する方向に延在しかつスペース７４に配置された複数の間柱４８の上端部４８Ａ同士又は下端部４８Ｂ同士に架け渡されるように配置された平面部６４Ａを備えている。そして、連結部材６４によって複数の間柱４８の上端部４８Ａ同士又は当該下端部４８Ｂ同士が外壁パネル４２の幅方向に連結されている。このため、複数の間柱４８の建物上方側又は当該複数の間柱４８の建物下方側において、外壁パネル４２の幅方向に延在するスペース７４Ａ、７４Ｂを形成することができる。従って、スペース７４Ａ、７４Ｂに種々の部材を配置することができ、その結果、天井大梁２２と床大梁３２との間に形成されたスペース７４を有効に活用することができる。【選択図】図１
2015158043.tif 000002
【特許請求の範囲】
【請求項１】
建物の外壁パネルの骨格を構成すると共に当該外壁パネルの裏面側に当該外壁パネルの幅方向に所定の間隔をあけて配置され、天井大梁と床大梁との間に納まり各々建物上下方向に沿って延在する複数の間柱と、
建物上下方向に対して直交する方向に延在しかつ前記複数の間柱の上端部同士又は下端部同士に架け渡されるように配置された平面部を備え、当該上端部同士又は当該下端部同士を前記外壁パネルの幅方向に連結する連結部材と、
を有する建物の外壁構造。
【請求項２】
前記連結部材は、前記複数の間柱の下端部同士を連結し、前記平面部が床板上に面接触した状態で載置されている、
請求項１記載の建物の外壁構造。
【請求項３】
前記連結部材は、前記複数の間柱の上端部同士を連結し、前記平面部が天井板との間に隙間をあけた状態で配置されると共に、当該隙間には断熱材が配設されている、
請求項１又は請求項２記載の建物の外壁構造。
【請求項４】
前記間柱の上端部を前記天井大梁に固定し、又は当該間柱の下端部を前記床大梁に固定する支持金具を有する、
請求項１〜請求項３のいずれか１項に記載の建物の外壁構造。
【請求項５】
前記連結部材は、前記平面部の屋外側の端部から当該平面部に対して直交する方向に延出された縦壁部を含んで構成されている、
請求項１〜請求項４のいずれか１項に記載の建物の外壁構造。
【発明の詳細な説明】
【技術分野】
【０００１】
本発明は、建物の外壁構造に関する。
【背景技術】
【０００２】
下記特許文献１には、外壁構造に関する発明が開示されている。この外壁構造では、鉄骨梁のフランジ部分にブラケットが溶接されており、当該ブラケットに縦胴縁が固定されている。これにより、縦胴縁に外装材が取り付けられ、ひいては当該外装材が縦胴縁及びブラケットを介して鉄骨梁に固定されている。
【先行技術文献】
【特許文献】
【０００３】
【特許文献１】特開２００２−０３８６３１号公報（図５）
【発明の概要】
【発明が解決しようとする課題】
【０００４】
しかしながら、上記特許文献１に開示された外壁構造では、鉄骨梁に設けられたブラケットが屋外側に向けて延出されており、縦胴縁及び外装材が鉄骨梁の屋外側に配置される構成とされている。このため、上側の鉄骨梁と下側の鉄骨梁との間に形成されたスペースを有効に活用できないことがある。
【０００５】
本発明は上記事実を考慮し、天井大梁と床大梁との間に形成されたスペースを有効に活用することができる建物の外壁構造を得ることが目的である。
【課題を解決するための手段】
【０００６】
請求項１に記載の発明に係る建物の外壁構造は、建物の外壁パネルの骨格を構成すると共に当該外壁パネルの裏面側に当該外壁パネルの幅方向に所定の間隔をあけて配置され、天井大梁と床大梁との間に納まり各々建物上下方向に沿って延在する複数の間柱と、建物上下方向に対して直交する方向に延在しかつ前記複数の間柱の上端部同士又は下端部同士に架け渡されるように配置された平面部を備え、当該上端部同士又は当該下端部同士を前記外壁パネルの幅方向に連結する連結部材と、を有している。
【０００７】
請求項２に記載の発明に係る建物の外壁構造は、請求項１に記載の発明において、前記連結部材は、前記複数の間柱の下端部同士を連結し、前記平面部が床板上に面接触した状態で載置されている。
【０００８】
請求項３に記載の発明に係る建物の外壁構造は、請求項１又は請求項２記載の発明において、前記連結部材は、前記複数の間柱の上端部同士を連結し、前記平面部が天井板との間に隙間をあけた状態で配置されると共に、当該隙間には断熱材が配設されている。
【０００９】
請求項４に記載の発明に係る建物の外壁構造は、請求項１〜請求項３記載のいずれか１項に記載の発明において、前記間柱の上端部を前記天井大梁に固定し、又は当該間柱の下端部を前記床大梁に固定する支持金具を有している。
【００１０】
請求項５に記載の発明に係る建物の外壁構造は、請求項１〜請求項４のいずれか１項に記載の発明において、前記連結部材は、前記平面部の屋外側の端部から当該平面部に対して直交する方向に延出された縦壁部を含んで構成されている。
【００１１】
請求項１に記載の本発明によれば、外壁パネルの裏面側に各々建物上下方向に沿って延在する複数の間柱が、当該外壁パネルの幅方向に所定の間隔をあけて配置されている。これにより、複数の間柱によって外壁パネルの骨格を構成し、当該複数の間柱を用いて当該外壁パネルを建物躯体に対して固定することができる。また、これらの間柱は、天井大梁と床大梁との間に納められており、換言すれば、複数の間柱が、天井大梁と床大梁との間に形成されたスペースに配置されている。このため、天井大梁と床大梁との間に形成されたスペースに外壁パネルの一部を配置することができると共に、当該スペースを外壁パネルの固定に用いることができる。
【００１２】
ここで、本発明では、連結部材が建物上下方向に対して直交する方向に延在しかつ複数の間柱の上端部同士又は下端部同士に架け渡されるように配置された平面部を備えており、当該上端部同士又は当該下端部同士を外壁パネルの幅方向に連結している。このため、複数の間柱の建物上方側又は当該複数の間柱の建物下方側において、天井大梁と床大梁との間に形成されたスペースが、連結部材によって仕切られ、外壁パネルの幅方向に延在するスペースが形成される。その結果、複数の間柱の建物上方側又は当該複数の間柱の建物下方側に形成された外壁パネルの幅方向に延在するスペースに種々の部材を配置することができる。
【００１３】
請求項２に記載の本発明によれば、連結部材によって複数の間柱の下端部同士が連結され、当該連結部材はその平面部が床板上に面接触した状態で載置されている。これにより、複数の間柱が連結部材の平面部及び床板を介して床大梁で支持される。
【００１４】
請求項３に記載の本発明によれば、連結部材によって複数の間柱の上端部同士が連結され、当該連結部材はその平面部が天井板との間に隙間をあけた状態で配置されると共に、当該隙間には断熱材が配設されている。これにより、天井大梁を介する屋内外の熱の移動を抑制又は防止することができる。
【００１５】
請求項４に記載の本発明によれば、間柱の上端部を天井大梁に固定し、又は当該間柱の下端部を床大梁に固定する支持金具を有している。これにより、複数の間柱を支持金具を用いて天井大梁又は床大梁に固定することができ、ひいては外壁パネルを複数箇所で支持することができる。
【００１６】
請求項５に記載の本発明によれば、連結部材は、平面部と当該平面部の屋外側の端部から当該平面部に対して直交する方向に延出された縦壁部とを含んで形成されるため、その縦断面形状は、Ｌ字状の部分を備えた形状となる。これにより、連結部材の剛性を向上させることができる。
【発明の効果】
【００１７】
以上説明したように、請求項１に記載の本発明に係る建物の外壁構造では、天井大梁と床大梁との間に形成されたスペースを有効に活用することができるという優れた効果を有する。
【００１８】
請求項２に記載の本発明に係る建物の外壁構造では、外壁パネルの自重を連結部材の平面部及び床板で分散させて床大梁に伝えることができるという優れた効果を有する。
【００１９】
請求項３に記載の本発明に係る建物の外壁構造では、建物の断熱効果を高めることができるという優れた効果を有する。
【００２０】
請求項４に記載の本発明に係る建物の外壁構造では、外壁パネルを安定して取り付けることができるという優れた効果を有する。
【００２１】
請求項５に記載の本発明に係る建物の外壁構造では、外壁パネルの剛性を向上させることができるという優れた効果を有する。
【図面の簡単な説明】
【００２２】
【図１】第１実施形態に係る建物の外壁構造を示す斜視図である。
【図２】本実施形態に係る建物の天井部及び床部の構造を示す拡大断面図（図１の２−２線に沿って切断した状態を示す断面図）である。
【図３】本実施形態に係る連結部材と間柱との関係を示す拡大斜視図（図１の３方向矢視図）である。
【図４】本実施形態に係る建物を構成する建物ユニットを示す斜視図である。
【図５】本実施形態に係る建物を示す斜視図である。
【図６】第２実施形態に係る建物の外壁構造を示す正面図である。
【発明を実施するための形態】
【００２３】
＜第１実施形態＞
以下、図１〜図５を用いて、本発明の実施形態に係る建物の外壁構造が適用された建物の一例について説明する。
【００２４】
まず、本実施形態に係る建物の全体構造について説明する。図４及び図５に示されるように、本実施形態に係る建物１０は、基礎１２上に複数個の下階側の建物ユニット１４を据え付けた後に、当該下階側の建物ユニット１４上に複数個の上階側の建物ユニット１６を据え付けることにより構成されている。
【００２５】
次に、建物ユニット１４を例にとって、当該建物ユニット１４の躯体を構成する躯体フレーム１８の構成について説明する。この躯体フレーム１８は、図２に一部示されるように、四隅に立設された図示しない柱と、柱の上端部同士を連結する天井フレーム２０と、柱の下端部同士を連結する床フレーム３０と、によって構成されている。天井フレーム２０は、溝形鋼によって構成された天井大梁２２と当該天井大梁２２よりも短い図示しない天井大梁が矩形枠状に配置されると共に、天井大梁２２の間に複数の図示しない天井小梁が所定の間隔で架け渡されることにより構成されている。また、床フレーム３０も天井フレーム２０と同様の構成とされており、溝形鋼によって構成された床大梁３２と当該床大梁３２よりも短い図示しない床大梁が矩形枠状に配置されて構成されている。そして、天井フレーム２０の下方側に天井下地材２６と天井板としての天井材２８とを含んで天井部２４が構成されると共に、床フレーム３０の上方側に床下地材３６と床板としての床材３８とを含んで床部３４が構成されている。
【００２６】
天井部２４の構成についてより詳しく説明すると板材で構成された天井下地材２６が、開口側を建物内側とされて配置された天井大梁２２の下側フランジ部２２Ａに当接状態で配設されている。そして、天井下地材２６の下面部に、矩形平板状の天井材２８が、当該天井材２８の屋外側端部が当該下面部の屋外側端部から建物内側に所定距離離間された状態で、建物ユニット１４の長手方向に沿って所定枚数敷設されている。なお、天井材２８の仕上げ面には、図示しない天井仕上げ用の天井クロスが張られている。
【００２７】
一方、床部３４は、矩形断面の角材で形成された床下地材３６が、開口側を建物内側とされて配置された床大梁３２の上側フランジ部に３２Ａに、当該上側フランジ部３２Ａと当接状態で配設されている。そして、床下地材３６の上面部に、矩形平板状の床材３８が、当該床材３８の屋外側端部が当該上面部の屋外側端部から建物内側に所定距離離間された状態で、建物ユニット１４の長手方向に沿って所定枚数敷設されることにより床部３４が構成されている。なお、床材３８の仕上げ面には、図示しない床仕上げ材が敷設されている。
【００２８】
そして、天井大梁２２及び床大梁３２には、図４にも示されるように、外壁パネル４２及び外壁パネル９４（後述する第２実施形態において詳しく説明する。）が建物１０の外周面に沿って並べて取り付けられており、建物１０の外壁４０の一部を構成している。ここで、本実施形態では、一例として、外壁パネル４２に本実施形態に係る建物の外壁構造が適用されている。以下、本発明の要部である建物の外壁構造の構成について詳細に説明する。
【００２９】
図１及び図２に示されるように、外壁パネル４２は、矩形平板状の外壁材４４が、外壁フレーム４６に図示しない通気胴縁を介してビス等によって固定されることにより構成されている。外壁フレーム４６は、一例として、１枚の外壁材４４に対して、３本の間柱４８、６つの支持金具５０及び２つの連結部材６４を含んで構成されている。
【００３０】
間柱４８は、建物上下方向に沿って延在する角柱状の木材で構成されており、その外壁パネル４２の幅方向（建物ユニット１４の長手方向）の幅が、その外壁パネル４２の厚さ方向（建物ユニット１４の短手方向）の幅よりも小さい長さに設定されている。また、間柱４８の建物上下方向の長さは、天井大梁２２の下側フランジ部２２Ａから床大梁３２の上側フランジ部３２Ａまでの距離から天井部２４を構成する部材の厚み及び床部３４を構成する部材の厚みを除いた長さよりも短い長さに設定されている。この間柱４８は、天井大梁２２と床大梁３２との間に形成されたスペース７４に納められており、外壁パネル４２の幅方向に所定の間隔をあけて（等間隔で）、当該外壁パネル４２の屋内側（裏面側）に配置されている。また、間柱４８は、平面視で外壁パネル４２の厚さ方向中央部から屋内側の部分が天井大梁２２及び床大梁３２と重なるように、その外壁パネル４２の厚さ方向の位置が設定されている。換言すれば、間柱４８の外壁パネル４２の厚さ方向中央部から屋外側の部分は、天井大梁２２のウェブ部２２Ｂ及び床大梁３２のウェブ部３２Ｂよりも屋外側に突出されている。そして、支持金具５０によって、間柱４８の上端部４８Ａが天井大梁２２に固定されており、当該間柱４８の下端部４８Ｂが床大梁３２に固定されている。
【００３１】
支持金具５０は、間柱４８の長手方向に延在すると共に、当該間柱４８の上端部４８Ａ又は下端部４８Ｂを支持する支持部５２と、天井大梁２２のウェブ部２２Ｂ又は床大梁３２のウェブ部３２Ｂに固定される固定部５４とを含んで一体に構成されている。
【００３２】
支持部５２は、横断面視で屋内側が開放されたコ字上に形成されたコ字状部５２Ａと、当該コ字状部５２Ａの外壁パネル４２の幅方向に面する壁部が固定部５４と反対側に延出されて形成された一対の脚部５２Ｂとを含んで構成されている。この支持部５２の外壁パネル４２の幅方向に面する壁部及び脚部５２Ｂには、当該脚部５２Ｂとコ字状部５２Ａとの境界部よりも固定部５４側に所定距離オフセットされた位置を始点として建物下方側に等間隔で５つの取付孔５６が形成されている。また、取付孔５６は、外壁パネル４２の幅方向から見て支持部５２の長手方向の中心線に沿って配置されている。これらの取付孔５６は、最も固定部５４側に形成された取付孔５６を除いて間柱４８の固定に用いられており、当該取付孔５６からビス（取付部材）５８が間柱４８に螺入されることにより当該間柱４８が支持金具５０に取り付けられている。なお、間柱４８に支持金具５０が取り付けられた状態において、間柱４８の上端部４８Ａ又は下端部４８Ｂが、支持金具５０の脚部５２Ｂとコ字状部５２Ａとの境界部よりも脚部５２Ｂ側に所定距離オフセットされた状態とされている。また、間柱４８に支持金具５０が取り付けられた状態において、間柱４８の屋外側の面４８Ｃは、支持金具５０における支持部５２の屋外側に面する正面壁部５２Ｃと同一平面上に配置されている。換言すれば、間柱４８の上端部４８Ａ又は下端部４８Ｂにおける屋外側に支持金具５０の支持部５２が取り付けられている。
【００３３】
一方、固定部５４は、屋外側及び支持部５２の反対側が開放された箱状に形成されている。より詳しくは、固定部５４は、固定壁部５４Ａと、支持部５２の当該固定部５４側の端部に接合された支持部側壁部５４Ｂと、当該固定壁部５４Ａ及び当該支持部側壁部５４Ｂの外壁パネル４２の幅方向の端部に接合された補強壁部５４Ｃとを含んで構成されている。また、固定部５４は、その外壁パネル４２の厚さ方向の長さ（支持部側壁部５４Ｂにおける外壁パネル４２の厚さ方向の長さ）が、一例として、支持部５２における外壁パネル４２の厚さ方向の長さの２倍程度に設定されている。そして、固定部５４における支持部側壁部５４Ｂの屋外側の端部でかつ当該支持部側壁部５４Ｂにおける外壁パネル４２の厚さ方向の中心線上に支持部５２が配置されている。なお、固定部５４の支持部側壁部５４Ｂの屋外側の端部と支持部５２の正面壁部５２Ｃとは同一平面上に配置されており、換言すれば、支持部５２は、固定壁部５４Ａに対して屋外側にオフセットされて配置されている。
【００３４】
固定部５４の固定壁部５４Ａは、天井大梁２２のウェブ部２２Ｂ又は床大梁３２のウェブ部３２Ｂに面接触されている。また、固定壁部５４Ａには、当該固定壁部５４Ａにおける外壁パネル４２の幅方向の中心線上に所定の間隔をあけて図示しない取付孔が形成されている。一方、天井大梁２２のウェブ部２２Ｂにおける上方側及び床大梁３２のウェブ部３２Ｂにおける下方側には、固定壁部５４Ａの取付孔に対応するウエルドナット６０が設けられている。そして、固定壁部５４Ａの取付孔の屋外側からボルト６２が当該取付孔に挿通されると共にウエルドナット６０に螺合されることにより、支持金具５０が、天井大梁２２又は床大梁３２に固定され、ひいては間柱４８が躯体フレーム１８に固定される。
【００３５】
また、固定部５４の外壁パネル４２の幅方向から見た形状は、固定壁部５４Ａの取付孔の軸線に対して対称となるように設定されている。さらに、固定部５４は、支持金具５０が天井大梁２２又は床大梁３２に固定された状態において、当該天井大梁２２の上方側又は当該床大梁３２の下方側に突出しないようにその形状が設定されている。
【００３６】
なお、固定部５４における外壁パネル４２の厚さ方向の長さは、一例として、間柱４８における外壁パネル４２の厚さ方向の長さの半分程度とされている。また、上述したように、固定部５４における外壁パネル４２の厚さ方向の長さは、支持部５２における外壁パネル４２の厚さ方向の長さの２倍程度に設定されている。つまり、支持部５２と固定部５４が固定される天井大梁２２のウェブ部２２Ｂ又は床大梁３２のウェブ部３２Ｂとの間隙寸法は、間柱４８における外壁パネル４２の厚さ方向の長さの４分の１程度に設定されている。そして、上記のように躯体フレーム１８に固定された複数の間柱４８の上端部４８Ａ同士及び下端部４８Ｂ同士は、それぞれ連結部材６４によって外壁パネル４２の幅方向に連結されている。
【００３７】
連結部材６４は、縦断面形状がＬ字状に形成された鋼材によって構成されている。より具体的には、連結部材６４は、複数の間柱４８の上端部４８Ａ同士又は下端部４８Ｂ同士に架け渡された平面部６４Ａと、当該平面部６４Ａの屋外側の端部から当該平面部６４Ａに対して直交する方向に延出された縦壁部６４Ｂとを含んで構成されている。縦壁部６４Ｂは、外壁パネル４２の幅方向に延在し、その建物上下方向における平面部６４Ａと反対側の端部が、屋外側から見て天井大梁２２の下方側又は床大梁３２の上方側と重なるように、その建物上下方向の長さが設定されている。
【００３８】
一方、平面部６４Ａは、建物上下方向に直交して外壁パネル４２の幅方向に延在している。この平面部６４Ａの外壁パネル４２の厚さ方向の長さは、平面視で間柱４８の屋内側の端部から天井大梁２２のウェブ部２２Ｂ又は床大梁３２のウェブ部３２Ｂまでの長さに設定されている。また、図３（図１の３方向矢視図）に示されるように、平面部６４Ａにおける平面視で間柱４８の上端部４８Ａと重なる部分には、当該上端部４８Ａ側に凹となる凹部６６が、一例として、４つ設けられている。さらに、凹部６６における底面部６６Ａの中心部には、図示しない取付孔が設けられており、当該取付孔からビス６８が間柱４８の上端部４８Ａに螺入されることにより、連結部材６４が間柱４８に取り付けられている。これらの凹部６６の深さは、ビス６８の頭を収容するのに十分な深さに設定されている。なお、図３では、間柱４８の上端部４８Ａと連結部材６４との関係が理解しやすいように、天井大梁２２等を図示していない。また、連結部材６４の間柱４８における下端部４８Ｂへの取付状態は、図３に示されるものと同様である。
【００３９】
このように構成された外壁パネル４２では、図２に示されるように、支持金具５０の支持部５２と天井大梁２２との間及び当該支持部５２と床大梁３２との間に形成されたスペース７０に断熱材７２が配置されている。
【００４０】
また、天井大梁２２の下側フランジ部２２Ａと連結部材６４の平面部６４Ａとの間には、外壁パネル４２の幅方向に延在するスペース７４Ａが形成されており、当該スペース７４Ａに天井部２４の屋外側の部分が配置されている。さらに、連結部材６４は、外壁パネル４２が組み付けられた状態において、その平面部６４Ａが天井部２４を構成する天井材２８（天井クロス）との間に隙間７４Ａ１をあけた状態で配置されており、当該隙間７４Ａ１には断熱材７６が配設されている。
【００４１】
一方、床大梁３２の上側フランジ部３２Ａと連結部材６４の平面部６４Ａとの間にも外壁パネル４２の幅方向に延在するスペース７４Ｂが形成されており、当該スペース７４Ｂに床部３４の屋外側の部分が配置されている。さらに、連結部材６４は、外壁パネル４２が組み付けられた状態において、その平面部６４Ａが面接触した状態で床部３４を構成する床材３８（床地上げ材）上に載置されている。
【００４２】
＜本実施形態の作用及び効果＞
次に、本実施形態の作用並びに効果を説明する。
【００４３】
本実施形態では、図１及び図２に示されるように、建物１０の外壁パネル４２の裏面側に各々建物上下方向に沿って延在する複数の間柱４８が、当該外壁パネル４２の幅方向に所定の間隔をあけて配置されている。これにより、複数の間柱４８によって外壁パネル４２の骨格を構成し、当該複数の間柱４８を用いて当該外壁パネル４２を躯体フレーム１８に対して固定することができる。また、これらの間柱４８は、天井大梁２２と床大梁３２との間に納められており、換言すれば、複数の間柱４８が、天井大梁２２と床大梁３２との間に形成されたスペース７４に配置されている。このため、天井大梁２２と床大梁３２との間に形成されたスペース７４に外壁パネル４２の一部を配置することができると共に、当該スペース７４を外壁パネル４２の固定に用いることができる。
【００４４】
ここで、本実施形態では、連結部材６４が建物上下方向に対して直交する方向に延在しかつ複数の間柱４８の上端部４８Ａ同士又は下端部４８Ｂ同士に架け渡されるように配置された平面部６４Ａを備えている。そして、連結部材６４によって複数の間柱４８の上端部４８Ａ同士又は当該下端部４８Ｂ同士が外壁パネル４２の幅方向に連結されている。このため、複数の間柱４８の建物上方側又は当該複数の間柱４８の建物下方側において、天井大梁２２と床大梁３２との間に形成されたスペース７４が、連結部材６４によって仕切られ、外壁パネル４２の幅方向に延在するスペースが形成される。
【００４５】
より具体的に説明すると、複数の間柱４８の建物上方側には、天井大梁２２の下側フランジ部２２Ａ及び連結部材６４によって仕切られたスペース７４Ａが形成される。一方、複数の間柱４８の建物下方側には、床大梁３２の上側フランジ部３２Ａ及び連結部材６４によって仕切られたスペース７４Ｂが形成される。しかも、連結部材６４を間柱４８に取り付けるビス６８の頭が当該連結部材６４の凹部６６に収容されているため、間柱４８の建物上方側及び当該間柱４８の建物下方側に形成されたスペース７４Ａ、７４Ｂには障害となる物がない。
【００４６】
このように、本実施形態では、間柱４８の建物上方側又は当該間柱４８の建物下方側における外壁パネル４２の幅方向に延在するスペース７４Ａ、７４Ｂに種々の部材を配置することができる。その結果、天井大梁２２と床大梁３２との間に形成されたスペース７４を有効に活用することができる。
【００４７】
また、本実施形態では、連結部材６４によって複数の間柱４８の下端部４８Ｂ同士が連結され、当該連結部材６４はその平面部６４Ａが床材３８上に面接触した状態で当該床材３８に載置されている。これにより、複数の間柱４８が連結部材６４の平面部６４Ａ及び床材３８を介して床大梁３２で支持され、その結果、外壁パネル４２の自重を連結部材６４の平面部６４Ａ及び床材３８で分散させて床大梁３２に伝えることができる。
【００４８】
さらに、本実施形態では、連結部材６４によって複数の間柱４８の上端部４８Ａ同士が連結され、当該連結部材６４はその平面部６４Ａが天井材２８との間に隙間７４Ａ１をあけた状態で配置されると共に、当該隙間７４Ａ１には断熱材７６が配設されている。これにより、天井大梁２２を介する屋内外の熱の移動を抑制又は防止することができ、その結果、建物１０の断熱効果を高めることができる。
【００４９】
加えて、本実施形態では、間柱４８の上端部４８Ａを天井大梁２２に固定し、又は当該間柱４８の下端部４８Ｂを床大梁３２に固定する支持金具５０を有している。これにより、複数の間柱４８を支持金具５０を用いて天井大梁２２又は床大梁３２に固定することができ、ひいては外壁パネル４２を複数箇所で支持することができる。その結果、外壁パネル４２を安定して取り付けることができる。
【００５０】
さらに加えて、本実施形態では、連結部材６４が、平面部６４Ａと当該平面部６４Ａの屋外側の端部から当該平面部６４Ａに対して直交する方向に延出された縦壁部６４Ｂとを含んで形成されるため、その縦断面形状は、Ｌ字状の部分を備えた形状となる。これにより、連結部材６４の剛性を向上させることができ、その結果、外壁パネル４２の剛性を向上させることができる。
【００５１】
＜第２実施形態＞
次に、図６を用いて、本発明に係る建物の外壁構造の第２実施形態について説明する。なお、前述した第１実施形態と同一構成部分については、同一の番号を付してその説明を省略する。
【００５２】
この第２実施形態に係る建物の外壁構造は、窓９０が設けられた外壁パネル９４に適用されている点に特徴がある。
【００５３】
図６に示されるように、本実施形態では、外壁フレーム９６が、間柱４８と長さのみが異なる上側間柱９８及び下側間柱１００と、窓９０のサッシフレーム９２を固定する図示しないフレーム下地木と、連結部材１０２とを含んで構成されている。なお、外壁フレーム９６の建物上方側及び建物下方側の構成は、上述した外壁フレーム４６と同様の構成とされている。
【００５４】
上側間柱９８は、下側間柱１００よりも短い長さに設定されている。そして、上側間柱９８の下端部９８Ａ同士及び下側間柱１００の上端部１００Ａ同士が連結部材１０２によってそれぞれ外壁パネル９４の幅方向（建物ユニット１４の長手方向）に連結されている。この連結部材１０２は、建物ユニット１４の建物上下方向に直交する方向に延在しかつ上側間柱９８の下端部９８Ａ同士又は下側間柱１００の上端部１００Ａ同士に架け渡されるように配置された矩形板状の木材で構成されている。そして、連結部材１０２は、ネイル等の図示しない取付手段によって、その取付面１０２Ａが、上側間柱９８の下端部９８Ａ又は下側間柱１００の上端部１００Ａに面接触状態で取り付けられている。
【００５５】
このように構成された外壁フレーム９６では、上側間柱９８に配置された連結部材１０２と下側間柱１００に配置された連結部材１０２との間に外壁パネル９４の幅方向に延在すスペース１０４が形成される。そして、上側間柱９８に配置された連結部材１０２と下側間柱１００に配置された連結部材１０２との間すなわちスペース１０４には、フレーム下地木が矩形枠状に配置されている。このフレーム下地木に、サッシフレーム９２のフランジ部９２Ａが、ビス等の図示しない取付手段によって取り付けられることにより、窓９０が外壁フレーム９６に固定されている。
【００５６】
＜本実施形態の作用及び効果＞
次に、本実施形態の作用並びに効果を説明する。
【００５７】
本実施形態では、外壁フレーム９６の建物上方側及び建物下方側の構成において、前述した第１実施形態と同様の構成を踏襲しているので、第１実施形態と同様の作用及び効果を得られる。
【００５８】
また、本実施形態では、上側間柱９８の下端部９８Ａ及び下側間柱１００の上端部１００Ａが、連結部材１０２によってそれぞれ連結されている。このため、外壁パネル９４の建物上下方向の中間部においても、当該外壁パネル９４の幅方向に延在するスペース１０４を形成することができ、その結果、天井大梁２２と床大梁３２との間に窓９０を配置することができる。
【００５９】
＜上記実施形態の補足説明＞
（１）  上述した第１実施形態では、連結部材６４を縦断面形状がＬ字状の鋼材で構成したが、剛性や取付性等を確保できるのであれば、矩形平板状等種々の形状に変更してもよい。また、その材質についても、剛性や取付性が確保される範囲で、ポリカーボネート樹脂や木材等適宜変更可能である。
【００６０】
（２）  また、上述した第２実施形態では、連結部材１０２を矩形板状の木材で構成したが、第１実施形態における連結部材６４と同様に鋼材で構成してもよい。
【符号の説明】
【００６１】
１０      建物
２２      天井大梁
２８      天井材（天井板）
３２      床大梁
３８      床材（床板）
４２      外壁パネル
４８      間柱
４８Ａ    上端部（間柱の上端部）
４８Ｂ    下端部（間柱の下端部）
５０      支持金具
６４      連結部材
６４Ａ    平面部
６４Ｂ    縦壁部
７４      スペース（天井大梁と床大梁との間）
７４Ａ１  隙間
７６      断熱材
９４      外壁パネル
９８      上側間柱（間柱）
９８Ａ    下端部（間柱の下端部）
１００    下側間柱（間柱）
１００Ａ  上端部（間柱の上端部）
１０２    連結部材（平面部）
【図１】
2015158043.tif 000003
【図２】
2015158043.tif 000004
【図３】
2015158043.tif 000005
【図４】
2015158043.tif 000006
【図５】
2015158043.tif 000007
【図６】
2015158043.tif 000008